(57)【要約】  地図情報提供装置は、更新対象の地図オブジェクトの種別情報及び前記地図オブジェクトに関連する所定の進捗情報を含むアイコンと、地図情報と、更新対象の地図オブジェクトに関する情報とを保持する。進捗状況情報特定手段は、各種情報等を取得して、更新対象の地図オブジェクトに関する進捗状況を特定し、地図情報出力手段は、出力対象の地図情報の範囲内に更新対象の地図オブジェクトがある場合、進捗状況に応じた進捗情報を含んだアイコンを付して地図情報を出力する。これによれば、出力対象の地図情報内における、更新対象の地図オブジェクトの更新状態について、更新対象の地図オブジェクト種別情報と当該地図オブジェクトに関する進捗情報とを一体としたアイコンを用いて表すので、複数のマークで進捗状況を表す場合に比して、利用者に対して、進捗状況を容易に認識させることができる。
2010055577.tif 000002
【特許請求の範囲】
【請求項１】
地図情報を保持する地図情報保持手段と、
更新対象の地図オブジェクトの種別情報と前記地図オブジェクトに関連する所定の進捗情報とを含むアイコンを保持するアイコン情報保持手段と、
更新対象の地図オブジェクトに関する情報を保持する更新対象地図オブジェクト情報保持手段と、
前記更新対象の地図オブジェクトに関する所定の進捗状況を特定する進捗状況特定手段と、
出力対象の地図情報の範囲内に前記更新対象の地図オブジェクトがある場合、前記進捗状況に応じた進捗情報を含んだアイコンを付して前記地図情報を出力する地図情報出力手段と、
を備えることを特徴とする地図情報提供装置。
【請求項２】
地図オブジェクトの更新要求を受け付けると共に、更新対象の地図オブジェクトに関する情報を取得し、前記更新対象地図オブジェクト情報保持手段へ登録する更新要求受付手段をさらに備え、
前記進捗状況特定手段は、前記更新要求受付手段が受け付けた更新対象の地図オブジェクトについての進捗状況を特定することを特徴とする請求項１に記載の地図情報提供装置。
【請求項３】
前記進捗情報は、アイコン内に設けられたグラフで進捗を表すことを特徴とする請求項１又は２に記載の地図情報提供装置。
【請求項４】
前記グラフには、目盛りが付されていることを特徴とする請求項３に記載の地図情報提供装置。
【請求項５】
前記地図オブジェクト種別情報は、図形で示されており、
前記進捗情報は、前記地図オブジェクト種別情報の図形の外形内の割合情報であることを特徴とする請求項１又は２に記載の地図情報提供装置。
【請求項６】
前記進捗は、前記地図情報保持手段に対する更新対象の地図オブジェクトに関する情報の更新作業の進捗であることを特徴とする１乃至５のいずれか一項に記載の地図情報提供装置。
【請求項７】
前記進捗は、前記更新対象の地図オブジェクトに対応する現実の設備の設置状況に関する進捗であることを特徴とする請求項１乃至５のいずか一項に記載の地図情報提供装置。
【請求項８】
前記進捗情報が所定要件を満たした場合、前記更新対象の地図オブジェクトの情報を、前記地図情報へ更新する地図情報更新手段をさらに備えることを特徴とする請求項１乃至７のいずれか一項に記載の地図情報提供装置。
【請求項９】
前記更新対象地図オブジェクト情報保持手段は、更新対象の地図オブジェクトの詳細情報を保持し、
前記地図情報出力手段は、出力済みの地図情報中における更新対象の地図オブジェクトに対する操作を検知した後に、前記更新対象の地図オブジェクトについての詳細情報を出力することを特徴とする請求項１乃至８のいずれか一項に記載の地図情報提供装置。
【請求項１０】
更新対象の地図オブジェクトの種別情報及び前記地図オブジェクトに関連する所定の進捗情報を含むアイコンと、地図情報と、更新対象の地図オブジェクトに関する情報とを保持する装置における地図情報提供方法であって、
前記更新対象の地図オブジェクトに関する所定の進捗状況を特定する進捗状況特定工程と、
出力対象の地図情報の範囲内に前記更新対象の地図オブジェクトがある場合、前記進捗状況に応じた進捗情報を含んだアイコンを付して前記地図情報を出力する地図情報出力工程と、
を備えることを特徴とする地図情報提供方法。
【請求項１１】
コンピュータを備え、更新対象の地図オブジェクトの種別情報及び前記地図オブジェクトに関連する所定の進捗情報を含むアイコンと、地図情報と、更新対象の地図オブジェクトに関する情報とを保持する装置で実行される地図情報提供プログラムであって、
前記更新対象の地図オブジェクトに関する所定の進捗状況を特定する進捗状況特定手段、
出力対象の地図情報の範囲内に前記更新対象の地図オブジェクトがある場合、前記進捗状況に応じた進捗情報を含んだアイコンを付して前記地図情報を出力する地図情報出力手段、として前記コンピュータを機能させることを特徴とする地図情報提供プログラム。
【請求項１２】
請求項１１に記載の地図情報提供プログラムを記憶したことを特徴とする記憶媒体。
【発明の詳細な説明】
【技術分野】
【０００１】
本発明は、更新対象の地図オブジェクトに関する進捗情報を含めた地図情報を提供する手法に関する。
【背景技術】
【０００２】
従来から、電子化された地図情報は、現実の施設の変化に対応して適宜更新がなされる。また、地図情報を提供するシステムは、単に地図情報を提供するだけでなく、更新対象の地図オブジェクトを通知した方が、利用者にとって更新箇所を特定できるため、便利である。【０００３】
なお、特許文献１に記載の配電工事管理システムでは、地図上に、作業状況毎に、異なるマークを配置することにより、工事状況を判別し得る地図情報を生成している。【０００４】
【特許文献１】特開２００８−５２４６１号公報
【発明の開示】
【発明が解決しようとする課題】
【０００５】
しかし、上記のような配電工事管理システムでは、作業状況毎に異なるマークを配置する場合、各マークがどのような作業状況に対応するか、利用者が認識する必要がある。よって、上記の配電工事管理システムの場合、複数の工事について作業状況毎のマークを利用者が認識しなければならず、操作が煩雑になる可能性があるという問題点があった。【０００６】
本発明が解決しようとする課題としては、上記のようなものが例として挙げられる。本発明は、地図オブジェクトに関する更新の進捗について、利用者が容易に認識し得る地図情報を提供することができる地図情報提供装置を提供することを課題とする。
【課題を解決するための手段】
【０００７】
請求項１に記載の発明では、地図情報提供装置であって、地図情報を保持する地図情報保持手段と、更新対象の地図オブジェクトの種別情報と前記地図オブジェクトに関連する所定の進捗情報とを含むアイコンを保持するアイコン情報保持手段と、更新対象の地図オブジェクトに関する情報を保持する更新対象地図オブジェクト情報保持手段と、前記更新対象の地図オブジェクトに関する所定の進捗状況を特定する進捗状況特定手段と、出力対象の地図情報の範囲内に前記更新対象の地図オブジェクトがある場合、前記進捗状況に応じた進捗情報を含んだアイコンを付して前記地図情報を出力する地図情報出力手段と、を備える。【０００８】
請求項１０に記載の発明では、更新対象の地図オブジェクトの種別情報及び前記地図オブジェクトに関連する所定の進捗情報を含むアイコンと、地図情報と、更新対象の地図オブジェクトに関する情報とを保持する装置における地図情報提供方法であって、前記更新対象の地図オブジェクトに関する所定の進捗状況を特定する進捗状況特定工程と、出力対象の地図情報の範囲内に前記更新対象の地図オブジェクトがある場合、前記進捗状況に応じた進捗情報を含んだアイコンを付して前記地図情報を出力する地図情報出力工程と、を備える。【０００９】
請求項１１に記載の発明では、コンピュータを備え、更新対象の地図オブジェクトの種別情報及び前記地図オブジェクトに関連する所定の進捗情報を含むアイコンと、地図情報と、更新対象の地図オブジェクトに関する情報とを保持する装置で実行される地図情報提供プログラムであって、前記更新対象の地図オブジェクトに関する所定の進捗状況を特定する進捗状況特定手段、出力対象の地図情報の範囲内に前記更新対象の地図オブジェクトがある場合、前記進捗状況に応じた進捗情報を含んだアイコンを付して前記地図情報を出力する地図情報出力手段、として前記コンピュータを機能させる。
【図面の簡単な説明】
【００１０】
【図１】地図情報提供システムの概略構成を示す図である。
【図２】地図情報提供装置のブロック図である。
【図３】地図情報提供ユニットである。
【図４】進捗状況アイコンを付した地図情報の表示例を示す図である。
【図５】進捗状況アイコンを説明する図である。
【図６】ステータスを説明する表である。
【図７】詳細情報の表示例を示す図である。
【図８】地図情報提供処理のフローチャートである。
【図９】他の実施例における進捗状況アイコンの例を示す図である。
【符号の説明】
【００１１】
１  端末装置
２  地図情報提供サーバ
２００  地図情報提供ユニット
２０１  地図情報記憶部
２０２  利用者情報記憶部
２０３  更新要求情報記憶部
２０４  更新要求受付部
２０５  進捗状況特定部
２０６  ステータス情報提供部
２０７  地図情報出力部
２０８  地図情報更新部
５００  進捗状況アイコン
【発明を実施するための最良の形態】
【００１２】
本発明の１つの観点では、地図情報提供装置であって、地図情報を保持する地図情報保持手段と、更新対象の地図オブジェクトの種別情報と前記地図オブジェクトに関連する所定の進捗情報とを含むアイコンを保持するアイコン情報保持手段と、更新対象の地図オブジェクトに関する情報を保持する更新対象地図オブジェクト情報保持手段と、前記更新対象の地図オブジェクトに関する所定の進捗状況を特定する進捗状況特定手段と、出力対象の地図情報の範囲内に前記更新対象の地図オブジェクトがある場合、前記進捗状況に応じた進捗情報を含んだアイコンを付して前記地図情報を出力する地図情報出力手段と、を備える。上記の地図情報提供装置は、具体的には、サーバ装置として構成することができる。地図情報提供装置は、更新対象の地図オブジェクトの種別情報及び前記地図オブジェクトに関連する所定の進捗情報を含むアイコンと、地図情報と、更新対象の地図オブジェクトに関する情報とを保持する。進捗状況情報特定手段は、各種情報等を取得して、更新対象の地図オブジェクトに関する進捗状況を特定し、地図情報出力手段は、出力対象の地図情報の範囲内に更新対象の地図オブジェクトがある場合、進捗状況に応じた進捗情報を含んだアイコンを付して地図情報を出力する。【００１３】
このように、地図情報提供装置は、出力対象の地図情報内における、更新対象の地図オブジェクトの更新状態について、更新対象の地図オブジェクト種別情報と当該地図オブジェクトに関する進捗情報とを一体としたアイコンを用いて表すので、複数のマークで進捗状況を表す場合に比して、利用者に対して、進捗状況を容易に認識させることができる。【００１４】
上記の地図情報提供装置の一態様では、地図オブジェクトの更新要求を受け付けると共に、当該地図オブジェクトの更新に関する情報を取得し、前記更新対象地図オブジェクト情報保持手段へ登録する更新要求受付手段をさらに備え、前記進捗状況特定手段は、前記更新要求受付手段が受け付けた更新対象の地図オブジェクトについての進捗状況を特定する。この場合、地図情報提供装置は、更新要求受付手段が取得した更新対象の地図オブジェクトについての進捗状況を表したアイコンを地図情報に付して提供することができる。【００１５】
上記の地図情報提供装置の他の一態様では、前記進捗情報は、アイコン内に設けられたグラフで進捗を表す。この場合、地図情報提供装置は、進捗情報をグラフで表しているので、利用者に対して、進捗状況の変化を容易に理解させることができる形態で更新対象の地図オブジェクトの進捗状況を通知することができる。【００１６】
上記の地図情報提供装置の他の一態様では、前記グラフには、目盛りが付されている。この場合、地図情報提供装置は、進捗情報を示すグラフに目盛りを設けることにより、どの程度進捗が進んでいるかを容易に利用者に理解させる形態で更新対象の地図オブジェクトの進捗状況を通知することができる。【００１７】
上記の地図情報提供装置の他の一態様では、前記地図オブジェクト種別情報は、図形で示されており、前記進捗情報は、前記地図オブジェクト種別情報の図形の外形内の割合情報である。この場合、地図情報提供装置は、進捗情報を、図形で表された地図オブジェクト種別情報内の割合情報で示す。これによれば、地図情報提供装置は、更新対象となる地図オブジェクトの種別を示すと共に、当該地図オブジェクトの所定の進捗状況も通知することができる。【００１８】
上記の地図情報提供装置の他の一態様では、前記進捗は、前記地図情報保持手段に対する更新対象の地図オブジェクトに関する情報の更新作業の進捗である。この場合、地図情報提供装置は、更新対象の地図オブジェクトについて、地図情報への反映作業の進捗度合いを利用者へ通知することができる。【００１９】
前記進捗は、前記更新対象の地図オブジェクトに対応する現実の設備の設置状況に関する進捗である。この場合、地図情報提供装置は、更新対象の地図オブジェクトに対応する現実の設置状況に関する進捗情報を利用者へ通知することができる。【００２０】
前記進捗情報が所定要件を満たした場合、前記更新対象の地図オブジェクトの情報を、前記地図情報へ更新する地図情報更新手段をさらに備える。この場合、地図情報提供装置は、更新対象の地図オブジェクトに関する進捗情報を利用者に提供するだけでなく、更新された地図情報も提供することができる。【００２１】
前記更新対象地図オブジェクト情報保持手段は、更新対象の地図オブジェクトの詳細情報を保持し、前記地図情報出力手段は、出力済みの地図情報中における更新対象の地図オブジェクトに対する操作を検知した後に、前記更新対象の地図オブジェクトについての詳細情報を出力する。この場合、地図情報提供装置は、更新対象の地図オブジェクトについて、進捗情報だけでなく、より詳細な情報も提供することができる。ここで、詳細情報とは、設置予定時期に関する情報や、設置面積等の情報をいう。【００２２】
本発明の他の観点では、更新対象の地図オブジェクトの種別情報及び前記地図オブジェクトに関連する所定の進捗情報を含むアイコンと、地図情報と、更新対象の地図オブジェクトに関する情報とを保持する装置における地図情報提供方法は、前記更新対象の地図オブジェクトに関する所定の進捗状況を特定する進捗状況特定工程と、出力対象の地図情報の範囲内に前記更新対象の地図オブジェクトがある場合、前記進捗状況に応じた進捗情報を含んだアイコンを付して前記地図情報を出力する地図情報出力工程と、を備える。【００２３】
この方法でも、出力対象の地図情報内における、更新対象の地図オブジェクトの更新状態について、更新対象の地図オブジェクト種別情報と当該地図オブジェクトに関する進捗情報とを一体としたアイコンを用いて表すので、複数のマークで進捗状況を表す場合に比して、利用者に対して、進捗状況を容易に認識させることができる。【００２４】
本発明のさらに他の観点では、コンピュータを備え、更新対象の地図オブジェクトの種別情報及び前記地図オブジェクトに関連する所定の進捗情報を含むアイコンと、地図情報と、更新対象の地図オブジェクトに関する情報とを保持する装置で実行される地図情報提供プログラムであって、前記更新対象の地図オブジェクトに関する所定の進捗状況を特定する進捗状況特定手段、出力対象の地図情報の範囲内に前記更新対象の地図オブジェクトがある場合、前記進捗状況に応じた進捗情報を含んだアイコンを付して前記地図情報を出力する地図情報出力手段、として前記コンピュータを機能させる。【００２５】
このプログラムを、各種装置上で実行することにより、本発明の地図情報提供装置を実現することができる。なお、この地図情報提供プログラムは、記録媒体に記録した状態で好適に取り扱うことができる。
【実施例】
【００２６】
以下、図面を参照して本発明の好適な実施例について説明する。【００２７】
［地図情報提供システムの概略構成］
図１に、地図情報提供システム１００の概念図を示す。本実施例では、地図情報提供システム１００は、端末装置１（図１の例では、端末装置１Ａ及び端末装置１Ｂ）と、地図情報提供サーバ２とが所定のネットワークを通じて接続されることにより構成される。ここで、ネットワークの１つの好適な例はインターネットである。【００２８】
地図情報提供システム１００では、実際の地理上の施設などを見た利用者が、端末装置１への操作を介して地理上の施設の更新情報を地図情報提供サーバ２へ提供する。これにより、地図情報提供サーバ２は、地図情報の更新を進めることができる。つまり、利用者の情報提供により地図情報の更新を進めることができるようにしたシステムになっている。【００２９】
端末装置１Ａ及び端末装置１Ｂは、クライアント端末である。説明の便宜上、図１については、地図情報の更新要求を行う端末装置を端末装置１Ａとし、地図情報の参照要求を行う端末装置を端末装置１Ｂとする。【００３０】
地図情報提供サーバ２は、地図情報を管理するサーバ装置である。地図情報提供サーバ２は、端末装置１の要求に応じて、地図情報を提供したり、地図情報の更新を受け付けたりする。【００３１】
端末装置１Ａが、地図情報提供サーバ２に対して、地図オブジェクト（道路、施設等）の更新要求を行うと、地図情報提供サーバ２が上記地図オブジェクトの更新作業に関する進捗状況を示すステータス情報を適宜端末装置１Ａに提供する。ここで、ステータス情報とは、更新要求した地図オブジェクトについての地図情報更新作業の進捗状況に関する情報をいう。【００３２】
そして、地図情報提供サーバ２が更新要求対象の地図オブジェクトを更新した後、端末装置１Ａが、地図情報提供サーバ２に対して、地図情報の参照要求を行えば、更新後の地図情報を参照することができる。【００３３】
また、端末装置１Ｂも、地図情報提供サーバ２に対して地図情報の参照要求を行えば、最新の地図情報を参照することができる。【００３４】
[地図情報提供サーバ]
図２は、本発明の実施例に係る地図情報提供サーバ２の概略構成を示す図である。地図情報提供サーバ２は、例えば、サーバコンピュータにより構成され、システムバス１１と、ＣＰＵ（Ｃｅｎｔｒａｌ  Ｐｒｏｃｅｓｓｉｎｇ  Ｕｎｉｔ）１２と、メモリ１３と、キーボード１４と、マウスなどの座標指示デバイス１５と、ディスプレイ１６と、ハードディスクなどのデータ記憶装置１８と、データ通信ユニット１９とを備える。ここで、キーボード１４及び座標指示デバイス１５は、入力装置である。また、ディスプレイ１６は、出力装置である。データ通信ユニット１９による送信は、ＵＳＢ（Ｕｎｉｖｅｒｓａｌ  Ｓｅｒｉａｌ  Ｂｕｓ）ケーブルを使用した有線送信、端子などの接触によるデータ送信など、データ通信ユニット１９から端末装置１へデータ送信が可能であれば、任意の方法を適用することができる。ＣＰＵ１２は、地図情報提供サーバ２全体を制御し、入出力装置の制御を行う。【００３５】
ＣＰＵ１２、メモリ１３、データ記憶装置１８、データ通信ユニット１９は、システムバス１１に接続される。キーボード１４、座標指示デバイス１５、ディスプレイ１６も図示しないインタフェースを介してシステムバス１１に接続される。メモリ１３は、作業メモリとしても使用される。【００３６】
データ記憶装置１８は、図示の通り、地図情報ＤＢ３５０と、利用者情報ＤＢ３７０と、更新要求情報ＤＢ３８０とを保持する。地図情報ＤＢ３５０は、地図情報（位置情報（緯度経度情報）や、地図背景情報や、道路等の形状データ）を格納するデータベースである。
なお、上記地図情報は、形状データと名称との対応付けがなされているものとする。また、地図情報ＤＢ３５０では、地図オブジェクトの更新要求を受け付けた情報についての更新作業の進捗状態を示す進捗状況アイコンも保持している。よって、本実施例では、地図情報ＤＢ３５０がアイコン情報保持手段として機能する。なお、進捗状況アイコンについては、後述する。【００３７】
利用者情報ＤＢ３７０は、利用者の情報を保持する。利用者情報を保持することにより、端末装置１から利用者の識別情報を取得し、当該利用者の識別情報と、上記利用者情報とを照らし合わせることにより、アクセスしてきた利用者を判別する。【００３８】
更新要求情報ＤＢ３８０は、端末装置１から取得した更新要求の情報を保持するデータベースである。更新要求の情報には、「アクセスした利用者の識別情報」、「更新位置情報（緯度経度情報等）」、「更新対象の地図オブジェクトの種別情報（例えば、道路や施設等）」、「更新に関する詳細情報（設置される時期に関する情報等）」が含まれる。本実施例では、更新要求情報ＤＢ３８０が、更新対象地図オブジェクト情報保持手段として機能する。【００３９】
［地図情報提供ユニット］
図３は、地図情報の更新作業の進捗に関する情報を提供する地図情報提供ユニット２００の機能ブロック図である。地図情報提供ユニット２００は、実体的には、地図情報提供サーバ２のＣＰＵ１２が予め用意されたプログラムを実行することにより実現される。図３に示すように、地図情報提供ユニット２００は、更新要求受付部２０４、進捗状況特定部２０５、ステータス情報提供部２０６、地図情報出力部２０７、及び地図情報更新部２０８を備える。また、地図情報提供ユニット２００は、地図情報ＤＢ３５０、利用者情報ＤＢ３７０及び更新要求情報ＤＢ３８０に接続されている。【００４０】
更新要求受付部２０４は、端末装置１から更新要求を受信すると共に、更新要求情報を取得する。なお、更新要求受付部２０４は、データ通信ユニット１９を介して更新要求の受信をしたり、更新要求情報を取得したりする。【００４１】
進捗状況特定部２０５は、上記更新要求情報についての更新作業の進捗状況を特定する。具体的には、進捗状況特定部２０５は、地図情報提供サーバ２の利用者が入力した更新要求情報の真偽に関する情報等を取得して、進捗状況を特定する。【００４２】
ステータス情報提供部２０６は、上記進捗状況特定部２０５が特定した進捗状況に基づいた情報であるステータス情報をデータ通信ユニット１９を介して、更新要求をした端末装置１に対して提供する。【００４３】
地図情報出力部２０７は、参照要求した端末装置１に対して、参照要求対象の地図情報を提供する。参照要求対象の地図情報に、地図更新要求されている地図オブジェクトが含まれている場合、地図情報出力部２０７は、進捗状況に応じた、進捗状況アイコンを付して地図情報を提供する。【００４４】
地図情報更新部２０８は、所定条件を満たした更新要求情報を地図情報ＤＢ３５０に反映する。【００４５】
［進捗状況アイコンについて］
次に、進捗状況アイコンについて、説明する。図４に進捗状況アイコン５００を表示した地図を示す。図４に示すように、地図情報出力部２０７が、更新要求情報に対応する位置に、更新要求情報についての更新作業の進捗状況に応じた進捗状況アイコン５００を配置する。【００４６】
進捗状況アイコン５００は、図５（Ａ）に示すように、更新地図オブジェクト種別情報５１０と、進捗情報５２０を有する。本実施例における更新地図オブジェクト種別情報５１０は、更新対象の地図オブジェクトの種別を示す図である。更新地図オブジェクト種別情報５１０には、図５（Ａ）に示すような施設の図だけでなく、図４に示す進捗状況アイコン５００のように道路の図もある。なお、更新地図オブジェクト種別情報５１０は、さらに細分化して種々の種類を示す図等を追加するようにしても良い。【００４７】
進捗情報５２０は、更新要求時に取得した更新要求情報についての地図情報ＤＢ３５０への更新作業の進捗に基づく情報である。本実施例では、進捗情報５２０を進捗バー５２１における進捗領域５３０の割合で示す。なお、進捗バー５２１では、進捗バー自体の範囲を明示している。このように、地図情報提供ユニット２００は、進捗バー５２１全体における進捗領域５３０の占める割合を明示することになるので、利用者に対して、地図情報に関する更新作業がどの程度進んでいるのか視覚的に理解させることができる。【００４８】
また、地図情報提供ユニット２００は、更新地図オブジェクト種別情報５１０と進捗情報５２０とを一体とした進捗状況アイコン５００を、地図情報中の更新箇所に付した形式で提供するので、地図オブジェクトに関する更新の進捗について、利用者が容易に認識し得る地図情報を提供することができる。【００４９】
進捗バー５２１は、目盛り５２２Ａ〜５２２Ｃを備えている。これにより、地図情報提供ユニット２００は、進捗状況の度合いを明示すると共に、残りステップがどの程度あるかについて利用者に対して容易に理解させることができる。【００５０】
図５（Ｂ）に、更新要求情報についての更新作業が進むに従い、進捗情報５２０が変化する様子を示す。このように、地図情報提供ユニット２００は、地図情報の更新作業が進むに従い、進捗バー５２１における進捗領域５３０の割合を変更し、進捗状況に対応した進捗状況アイコン５００Ａ〜５００Ｅを表示する。これにより、利用者に対して、進捗状況の変化を容易に理解させることができる。【００５１】
また、地図情報提供ユニット２００は、端末装置１から更新要求を受信したが、更新対象の設備種別以外の設備種別について更新要求がなされた場合等、更新することができない場合は、図５（Ｃ）に示すような、背景色が塗りつぶされた進捗状況アイコン５００Ｘを出力対象の地図情報における更新要求の位置に表示する。これによれば、地図情報提供ユニット２００は、他の利用者に対して図５（Ｃ）に示す進捗状況アイコン５００Ｘが表示されている内容について更新要求することができない旨、通知することができる。【００５２】
［ステータスについての説明］
次に、地図情報提供ユニット２００で更新要求を受信した後に、当該更新要求時に受け付けた更新要求情報のステータスについて図６を用いて説明する。【００５３】
まず、地図情報提供ユニット２００は、端末装置１から更新要求と共に更新要求情報を受信すると、進捗状況特定部２０５は、当該更新要求情報についてのステータスを「確認作業待ち」とする。「確認作業待ち」とは、更新要求情報について、地図情報更新担当者がまだ何もチェックをしていないことを意味する。地図情報提供ユニット２００は、当該「確認作業待ち」の更新要求情報の位置を含む地図情報の参照要求を受信した場合、進捗領域５３０がない状態の進捗状況アイコン５００Ａを更新要求に対応する位置に配置して、地図情報を出力する。【００５４】
地図情報更新担当者が、更新要求情報を参照し、地図更新対象でないオブジェクト（例えば、駐輪場等）についての更新要求がなされている等、更新要求情報自体に問題点がないことを確認した場合、当該地図情報更新担当者が、地図情報提供ユニット２００に対して、更新要求情報について、「不備なし」の旨の入力操作を行うと、進捗状況特定部２０５は、入力操作された情報を取得し、更新要求情報についてのステータスを「確認作業中」とする。「確認作業中」とは、地図情報更新担当者が、更新要求情報の内容が事実であるか否かについての確認作業を行っている最中であることを意味する。地図情報提供ユニット２００は、当該「確認作業中」の更新要求情報の位置を含む地図情報の参照要求を受信した場合、進捗領域５３０が２５パーセントである進捗状況アイコン５００Ｂを更新要求に対応する位置に配置して、地図情報を出力する。【００５５】
地図情報更新担当者が、更新要求情報の内容が事実であると確認した場合、当該地図情報更新担当者が、地図情報提供ユニット２００に対して、更新要求情報について、「事実である」の旨の入力操作を行うと、進捗状況特定部２０５は、入力操作された情報を取得し、更新要求情報についてのステータスを「確認作業完了」とする。「確認作業完了」とは、地図情報更新担当者が、更新要求情報の内容が事実であることを確認したことをいう。地図情報提供ユニット２００は、当該「確認作業中」の更新要求情報の位置を含む地図情報の参照要求を受信した場合、進捗領域５３０が５０パーセントである進捗状況アイコン５００Ｃを更新要求のあった位置に配置して、地図情報を出力する。【００５６】
地図情報更新部２０８は、更新要求情報が「事実である」旨の入力操作がなされて、当該更新要求情報に関する地図情報を更新し、更新した地図情報の公開時期を決定する。そうすると、進捗状況特定部２０５は、ステータスを「公開時期決定」にする。「公開時期決定」とは、更新要求対象の地図オブジェクトが地図情報ＤＢ３５０に反映され、反映された地図オブジェクトの公開時期が決定したことをいう。地図情報提供ユニット２００は、当該「公開時期決定」の更新要求情報の位置を含む地図情報の参照要求を受信した場合、進捗領域５３０が７５パーセントである進捗状況アイコン５００Ｄを更新要求のあった位置に配置して、地図情報を出力する。【００５７】
地図情報更新部２０８は、ステータスが「公開時期決定」である更新要求情報について、公開時期になった場合に、公開可能状態にする。そして、進捗状況特定部２０５が、ステータスを「地図に反映済み」にする。「地図に反映済み」とは、更新要求対象の地図オブジェクトが地図情報ＤＢ３５０に反映され、且つ公開されていることをいう。地図情報提供ユニット２００は、当該「地図に反映済み」の更新要求情報の位置を含む地図情報の参照要求を受信した場合、進捗領域５３０が１００パーセントである進捗状況アイコン５００Ｅを更新要求に対応する位置に配置して、地図情報を出力する。【００５８】
また、更新要求情報に不備がある場合や、更新要求情報自体が「事実ではない」場合に、進捗状況特定部２０５は、ステータスを「作業見送り」とする。「作業見送り」とは、更新要求情報について地図情報ＤＢ３５０に反映しない旨決定したことをいう。地図情報提供ユニット２００は、当該「作業見送り」の更新要求情報の位置を含む地図情報の参照要求を受信した場合、背景色が塗りつぶされた進捗状況アイコン５００Ｘを更新要求のあった位置に配置して、地図情報を出力する。【００５９】
このように、地図情報提供ユニット２００は、端末装置１から更新要求情報を取得し、当該更新要求情報についての調査・地図進捗状況に応じて、進捗度合いを示す進捗状況アイコン５００を地図情報に配置して、当該地図情報を端末装置１へ提供する。【００６０】
これによれば、地図情報提供ユニット２００は、利用者に対して、更新要求が出された情報について、更新作業がどの程度進んでいるか視覚的に理解させることができる。【００６１】
なお、端末装置１へ提供した、進捗状況アイコン５００を含む地図情報について、端末装置１で、上記進捗状況アイコン５００に対して所定の入力操作がなされると（例えば、右クリック）、地図情報提供ユニット２００は、図７に示す詳細情報６００を提供する。詳細情報６００の具体例として、設置予定時期に関する情報や、設置面積等の情報や、更新要求情報についての真偽投票結果の情報等がある。【００６２】
この場合、地図情報提供ユニット２００は、進捗状況アイコン５００だけでは、提供できなかった更新要求情報についての詳細情報６００を提供することができる。【００６３】
［地図情報提供処理］
以下に、地図情報提供処理の手順について、図８に示すフローチャートを用いて説明する。この処理は、地図情報提供サーバ２のＣＰＵ１２が、予め用意されたプログラムを実行し、図３に示す地図情報提供ユニット２００として機能することにより実現される。【００６４】
まず、端末装置１から地図情報の更新要求がなされると、地図情報提供ユニット２００の更新要求受付部２０４は、更新要求を受け付けるとともに、更新要求情報を取得する（ステップＳ１）。【００６５】
そして、ステータス情報提供部２０６は、更新要求情報を受け付けた旨のステータス情報を端末装置１へ送信する（ステップＳ２）。この時点の更新要求情報の位置を含む地図参照要求を受け付けた場合、地図情報出力部２０７は、当該更新要求情報の位置について、進捗領域５３０が０％の進捗状況アイコン５００Ａを付与する。【００６６】
そして、更新要求情報についての調査結果が入力されると、進捗状況特定部２０５は、当該調査結果の情報を取得する（ステップＳ３）。【００６７】
上記調査結果が「内容に不備有り」である場合（ステップＳ４；Ｎｏ）、処理はステップＳ１５へ移り、ステータス情報提供部２０６が、「作業見送り」とする旨のステータス情報を端末装置１へ送信する。「作業見送り」の進捗状況にある更新要求情報について地図情報を提供する場合、地図情報出力部２０７は、当該更新要求情報の位置に、背景色が塗りつぶされた進捗状況アイコン５００Ｘを示す。【００６８】
上記調査結果が「内容に不備無し」である場合（ステップＳ４；Ｙｅｓ）、ステータス情報提供部２０６は、「確認作業待ち」である旨のステータス情報を端末装置１へ提供する（ステップＳ５）。この時点の更新要求情報の位置を含む地図参照要求を受け付けた場合、地図情報出力部２０７は、当該更新要求情報の位置について、進捗情報が２５％となっている進捗状況アイコン５００Ｂを付与する。【００６９】
そして、確認作業に関する情報が入力されると、進捗状況特定部２０５は、当該確認作業に関する情報を取得する。【００７０】
当該確認情報の情報が「更新要求情報の内容が事実でない」ことを意味している場合（ステップＳ７；Ｎｏ）、ステップＳ１５へ移り、ステータス情報提供部２０６が、「作業見送り」とする旨のステータス情報を端末装置１へ送信する。【００７１】
上記確認作業の情報が「更新要求情報の内容が事実である」ことを意味している場合（ステップＳ７；Ｙｅｓ）、「更新要求情報の内容が事実である」ことを意味するステータス情報を端末装置１へ提供する（ステップＳ８）。この時点の更新要求情報の位置を含む地図参照要求を受け付けた場合、地図情報出力部２０７は、当該更新要求情報の位置について、進捗情報が５０％となっている進捗状況アイコン５００Ｃを付与した地図情報を出力する。【００７２】
そして、地図情報更新部２０８は、確認作業が正常終了した更新要求情報の内容を地図情報ＤＢ３５０へ更新する（ステップＳ９）。なお、地図情報更新部２０８は、公開時期を調整するために、更新した内容について、参照できないようにしておく。具体的には、更新した地図オブジェクトの情報に設けた参照フラグ情報をオフにしておく方法等がある。【００７３】
そして、地図情報更新部２０８は、更新した地図情報の公開時期を決定すると（ステップＳ１０）、ステータス情報提供部２０６は、公開時期決定の旨のステータス情報を端末装置１へ提供する（ステップＳ１１）。この時点の更新要求情報の位置を含む地図参照要求を受け付けた場合、地図情報出力部２０７は、当該更新要求情報の位置について、進捗情報が７５％となっている進捗状況アイコン５００Ｄを付与した地図情報を出力する。【００７４】
公開時期になった後に（ステップＳ１２；Ｙｅｓ）、更新した地図情報を公開するように編集する（ステップＳ１３）。そして、ステータス情報提供部１４は、端末装置１に対して、更新対象の情報が公開された旨のステータス情報を提供し（ステップＳ１４）、処理を終了する。この時点の更新要求情報の位置を含む地図参照要求を受け付けた場合、地図情報出力部２０７は、当該更新要求情報の位置について、進捗情報が１００％となっている進捗状況アイコン５００Ｅを付与した地図情報を出力する。【００７５】
以上述べたように、地図情報提供装置は、地図情報を保持する地図情報保持手段と、更新対象の地図オブジェクトの種別情報と地図オブジェクトに関連する所定の進捗情報とを含むアイコンを保持するアイコン情報保持手段と、更新対象の地図オブジェクトに関する情報を保持する更新対象地図オブジェクト情報保持手段と、更新対象の地図オブジェクトに関する所定の進捗状況を特定する進捗状況特定手段と、出力対象の地図情報の範囲内に更新対象の地図オブジェクトがある場合、進捗状況に応じた進捗情報を含んだアイコンを付して地図情報を出力する地図情報出力手段と、を備える。【００７６】
これによれば、地図情報提供装置は、出力対象の地図情報内における、更新対象の地図オブジェクトの更新状態について、更新対象の地図オブジェクト種別情報と当該地図オブジェクトに関する進捗情報とを一体としたアイコンを用いて表すので、複数のマークで進捗状況を表す場合に比して、利用者に対して、進捗状況を容易に認識させることができる。【００７７】
また、本実施例の場合、進捗情報は、更新対象の地図オブジェクトに関する情報についての、地図情報ＤＢ３５０に対する更新作業の進捗である。この場合、地図情報提供ユニット２００は、更新対象の地図オブジェクトについて、地図情報への反映作業の進捗度合いを利用者へ通知することができる。【００７８】
そして、地図情報更新部２０８は、進捗情報５２０が所定要件を満たした場合、更新対象の地図オブジェクトの情報を、地図情報ＤＢ３５０へ更新している。この場合、地図情報提供ユニット２００は、更新対象の地図オブジェクトに関する進捗情報を利用者に提供するだけでなく、更新された地図情報も提供することができる。【００７９】
［他の実施例］
上述の実施例では、更新要求情報を端末装置１から取得する場合について述べたが、本発明は、これに限られず、地図情報提供ユニット２００で予め別途取得するようにしても良い。【００８０】
上述の実施例では、地図情報提供ユニット２００は、更新要求情報を地図情報ＤＢ３５０へ反映するための作業に関する進捗状況を進捗状況アイコン５００の進捗情報５２０で表す場合について述べたが、本発明は、これに限られず、更新対象の施設についての実際の設置状況の進捗状況を進捗状況アイコン５００の進捗情報５２０で表すようにしても良い。この場合、地図情報提供ユニット２００は、１０階建てのビルが新設される場合に５階まで建てられていたら、進捗情報５２０が５０パーセントとなっている進捗状況アイコン５００を地図情報に付与する。これによれば、地図情報提供ユニット２００は、地図情報の更新度合いの情報ではなく、現実の施設の設置状況を利用者に通知することができる。【００８１】
上述の実施例では、進捗状況アイコン５００が進捗情報を進捗バー５２１で示す場合について述べたが、本発明は、これに限られない、例えば、図９（Ａ）に示すように、更新対象の地図オブジェクト種別情報の図形内に占める進捗領域の割合により進捗情報を示すようにしても良い。また、図９（Ｂ）に示すように、更新対象の地図オブジェクトの図形の大きさにより進捗情報を示すようにしても良い。さらに、図９（Ｃ）に示すように、更新対象の地図オブジェクトの図形内部の色の濃さにより進捗情報を示すようにしても良い。これらによっても、地図情報提供ユニット２００は、更新対象となる地図オブジェクトの種別を示すと共に、当該地図オブジェクトの所定の進捗状況も表示することができる。【００８２】
上述の実施例では、サーバ装置に地図情報提供ユニット２００を適用する場合について述べたが、本発明は、これに限られず、ナビゲーション装置や、種々のコンピュータを備えた装置に適用するようにしても良い。
【産業上の利用可能性】
【００８３】
本発明は、地図情報について更新対象箇所を示す装置に利用することができる。
【図１】
2010055577.tif 000003
【図２】
2010055577.tif 000004
【図３】
2010055577.tif 000005
【図４】
2010055577.tif 000006
【図５】
2010055577.tif 000007
【図６】
2010055577.tif 000008
【図７】
2010055577.tif 000009
【図８】
2010055577.tif 000010
【図９】
2010055577.tif 000011
【手続補正書】
【提出日】平成23年4月22日(2011.4.22)
【手続補正１】
【補正対象書類名】特許請求の範囲
【補正対象項目名】全文
【補正方法】変更
【補正の内容】
【特許請求の範囲】
【請求項１】
地図情報を保持する地図情報保持手段と、
更新対象の地図オブジェクトの種別情報と前記地図オブジェクトに関連する所定の進捗情報とを一体とした進捗状況アイコンを保持するアイコン情報保持手段と、
更新対象の地図オブジェクトに関する情報を保持する更新対象地図オブジェクト情報保持手段と、
前記更新対象の地図オブジェクトに関する所定の進捗状況を特定する進捗状況特定手段と、
出力対象の地図情報の範囲内に前記更新対象の地図オブジェクトがある場合、前記進捗状況特定手段によって特定された進捗状況に応じた進捗情報と当該更新対象の地図オブジェクトの種別情報とを一体とした進捗状況アイコンを付して前記地図情報を出力する地図情報出力手段と、
を備えることを特徴とする地図情報提供装置。
【請求項２】
地図オブジェクトの更新要求を受け付けると共に、更新対象の地図オブジェクトに関する情報を取得し、前記更新対象地図オブジェクト情報保持手段へ登録する更新要求受付手段をさらに備え、
前記進捗状況特定手段は、前記更新要求受付手段が受け付けた更新対象の地図オブジェクトについての進捗状況を特定することを特徴とする請求項１に記載の地図情報提供装置。
【請求項３】
前記進捗情報は、進捗状況アイコン内に設けられたグラフで進捗を表すことを特徴とする請求項１又は２に記載の地図情報提供装置。
【請求項４】
前記グラフには、目盛りが付されていることを特徴とする請求項３に記載の地図情報提供装置。
【請求項５】
前記地図オブジェクト種別情報は、図形で示されており、
前記進捗情報は、前記地図オブジェクト種別情報の図形の外形内の割合情報であることを特徴とする請求項１又は２に記載の地図情報提供装置。
【請求項６】
前記進捗は、前記地図情報保持手段に対する更新対象の地図オブジェクトに関する情報の更新作業の進捗であることを特徴とする１乃至５のいずれか一項に記載の地図情報提供装置。
【請求項７】
前記進捗は、前記更新対象の地図オブジェクトに対応する現実の設備の設置状況に関する進捗であることを特徴とする請求項１乃至５のいずか一項に記載の地図情報提供装置。
【請求項８】
前記進捗情報が所定要件を満たした場合、前記更新対象の地図オブジェクトの情報を、前記地図情報へ更新する地図情報更新手段をさらに備えることを特徴とする請求項１乃至７のいずれか一項に記載の地図情報提供装置。
【請求項９】
前記更新対象地図オブジェクト情報保持手段は、更新対象の地図オブジェクトの詳細情報を保持し、
前記地図情報出力手段は、出力済みの地図情報中における更新対象の地図オブジェクトに対する操作を検知した後に、前記更新対象の地図オブジェクトについての詳細情報を出力することを特徴とする請求項１乃至８のいずれか一項に記載の地図情報提供装置。
【請求項１０】
更新対象の地図オブジェクトの種別情報及び前記地図オブジェクトに関連する所定の進捗情報を一体とした進捗状況アイコンと、地図情報と、更新対象の地図オブジェクトに関する情報とを保持する装置における地図情報提供方法であって、
前記更新対象の地図オブジェクトに関する所定の進捗状況を特定する進捗状況特定工程と、
出力対象の地図情報の範囲内に前記更新対象の地図オブジェクトがある場合、前記進捗状況特定手段によって特定された進捗状況に応じた進捗情報と当該更新対象の地図オブジェクトの種別情報とを一体とした進捗状況アイコンを付して前記地図情報を出力する地図情報出力工程と、
を備えることを特徴とする地図情報提供方法。
【請求項１１】
コンピュータを備え、更新対象の地図オブジェクトの種別情報及び前記地図オブジェクトに関連する所定の進捗情報を一体とした進捗状況アイコンと、地図情報と、更新対象の地図オブジェクトに関する情報とを保持する装置で実行される地図情報提供プログラムであって、
前記更新対象の地図オブジェクトに関する所定の進捗状況を特定する進捗状況特定手段、
出力対象の地図情報の範囲内に前記更新対象の地図オブジェクトがある場合、前記進捗状況特定手段によって特定された進捗状況に応じた進捗情報と当該更新対象の地図オブジェクトの種別情報とを一体とした進捗状況アイコンを付して前記地図情報を出力する地図情報出力手段、として前記コンピュータを機能させることを特徴とする地図情報提供プログラム。
【請求項１２】
請求項１１に記載の地図情報提供プログラムを記憶したことを特徴とする記憶媒体。
【手続補正２】
【補正対象書類名】明細書
【補正対象項目名】０００７
【補正方法】変更
【補正の内容】
【０００７】
請求項１に記載の発明では、地図情報提供装置であって、地図情報を保持する地図情報保持手段と、更新対象の地図オブジェクトの種別情報と前記地図オブジェクトに関連する所定の進捗情報とを一体とした進捗状況アイコンを保持するアイコン情報保持手段と、更新対象の地図オブジェクトに関する情報を保持する更新対象地図オブジェクト情報保持手段と、前記更新対象の地図オブジェクトに関する所定の進捗状況を特定する進捗状況特定手段と、出力対象の地図情報の範囲内に前記更新対象の地図オブジェクトがある場合、前記進捗状況特定手段によって特定された進捗状況に応じた進捗情報と当該更新対象の地図オブジェクトの種別情報とを一体とした進捗状況アイコンを付して前記地図情報を出力する地図情報出力手段と、を備える。
【手続補正３】
【補正対象書類名】明細書
【補正対象項目名】０００８
【補正方法】変更
【補正の内容】
【０００８】
請求項１０に記載の発明では、更新対象の地図オブジェクトの種別情報及び前記地図オブジェクトに関連する所定の進捗情報を一体とした進捗状況アイコンと、地図情報と、更新対象の地図オブジェクトに関する情報とを保持する装置における地図情報提供方法であって、前記更新対象の地図オブジェクトに関する所定の進捗状況を特定する進捗状況特定工程と、出力対象の地図情報の範囲内に前記更新対象の地図オブジェクトがある場合、前記進捗状況特定手段によって特定された進捗状況に応じた進捗情報と当該更新対象の地図オブジェクトの種別情報とを一体とした進捗状況アイコンを付して前記地図情報を出力する地図情報出力工程と、を備える。
【手続補正４】
【補正対象書類名】明細書
【補正対象項目名】０００９
【補正方法】変更
【補正の内容】
【０００９】
請求項１１に記載の発明では、コンピュータを備え、更新対象の地図オブジェクトの種別情報及び前記地図オブジェクトに関連する所定の進捗情報を一体とした進捗状況アイコンと、地図情報と、更新対象の地図オブジェクトに関する情報とを保持する装置で実行される地図情報提供プログラムであって、前記更新対象の地図オブジェクトに関する所定の進捗状況を特定する進捗状況特定手段、出力対象の地図情報の範囲内に前記更新対象の地図オブジェクトがある場合、前記進捗状況特定手段によって特定された進捗状況に応じた進捗情報と当該更新対象の地図オブジェクトの種別情報とを一体とした進捗状況アイコンを付して前記地図情報を出力する地図情報出力手段、として前記コンピュータを機能させる。
【国際調査報告】
2010055577.tif 000012
2010055577.tif 000013